(57)【要約】  本の発明はマッサージ器が附着した化粧品容器に関することとして，もっと具体的には化粧品容器の収容部下部に磁性体を置いて、マークネット（ｍａｇｎｅｔ）が附着したマッサージ装置が結合される簡単な構造を持つ携帯が簡便でタルブチァックが易しいマッサージ器を具備した化粧品容器に関するのだ。  このような本の発明のマッサージ器が附着した化粧品容器は収容部下部に取り付けと外しが可能に設置されたマッサージ装置部；下部が密閉されて上部が開放されて物質の収容空間を持つ収容部；上記収容部の上部に取り付けと外しが可能に結合されるふた部；を特徴的構成にする。
2013521925.tif 000002
【特許請求の範囲】
【請求項１】
マッサージ器を持つ容器として，
上部が開放されて下部底面に磁性体を附着した物質の収容空間を持つ収容部；上記収容部の開放された上部にタルブチァック可能に結合されるふた部；及び上記収容部の下部に取り付けと外しが可能にマグネットを利用して結合されて肌をマッサージをするためにマッサージ装置部；を持ったことを特徴にするマグネットを利用したマッサージ装置が下部に附着した化粧品容器。
【請求項２】
第１項において，
マッサージ装置部にいて，
収容部下部と結合されるようにマグネットが設置された作業電極部；
上記作業電極部下部と接地電極部上部と結合されて二つの電極の間を絶縁する電極分離帯；
上記電極分離帯下部に結合されて電子回路から電流の供給を受ける接地電極部；を持ったことを特徴とするマグネットを利用したマッサージ装置が下部に取り付けられた景商品容器。
【請求項３】
第２項において，
上記接地電極部下部または分離帯の外面に設置されて上記電子回路で作業電極部への電流を供給する電源スイッチ；
上記接地電極部の上部の設置されて、バッテリーと電子回路が設置され上記作業電極部及び接地電極部にそれぞれマイナス（−）電流またはプラス（＋）電流を供給する回路基板；
上記接地電極部と作業電極部の間に設置されて、上記接地電極と作業電極を絶縁する電極分離帯；
上記回路基板に設置されて、上記作業電極部へ動作可否を表示する表示ランプをもっと含んだことを特徴にするマグネットを利用したマッサージ装置が下部に部なった化粧品容器。
【請求項４】
第３項において，
上記電子回路では
バッテリーから電源の供給を受けて、マイナス（−）電流またはプラス（＋）電流を増幅させる増幅部；及び上記作業電極部及び接地電極部でそれぞれマイナス（−）電流またはプラス（＋）電流の極性を相互切り替える極性転換部を含んだことを特徴にするマグネットを利用したマッサージ装置が下部に附着した化粧品容器。
【請求項５】
第４項において，
上記電子回では
上記電流発生部で発生したマイナス（−）電流またはプラス（＋）電流を増幅させる増幅部；
上記増幅されたマイナス（−）電流またはプラス（＋）電流をそれぞれ作業電極部及び接地電極で接続させる制御部；及び
上記接地電極の底面部または上記電極分離帯の外面に設置されて、使用者が極性転換部を制御することができる極性転換スィッチをもっと含んだことを特徴にするマグネットを利用したマッサージ装置が下部に附着した化粧品容器。
【請求項６】
第１項において，
上記マッサージ装置部は
上面は密閉されて底面に中央貫通球を持ったマグネットと貫通球に小型震動モーターが設置された作業電極部；
上記作業電極部下部と結合されて、表示ランプが設置された電極分離帯；
上記電極分離帯下部に結合されて、バッテリーから電源の供給を受けてマイナス（−）電流またはプラス（＋）電流を発生させる電流発生部；及びスイチング装置を持って、電子回路から電流の供給を受ける接地電極部；を持ったことを特徴にするマグネットを利用したマッサージ装置が下部に附着した化粧品容器。
【請求項７】
第１項において，
上記マッサージ装置部は
上面は密閉されて底面に貫通球を持ったマグネットと貫通球に超音波圧電素子が設置された作業電極部；
上記作業電極部下部と結合されて、表示ランプが設置された電極分離帯；
上記電極分離帯下部に結合されて、バッテリーから電源の供給を受けてマイナス（−）電流またはプラス（＋）電流を発生させる電流発生部；及びスイチング装置を持ってＭＣＵ（Ｍｉｃｒｏ  Ｃｏｎｔｒｏｌｌｅｒ  Ｕｎｉｔ）電子回から超音波とイオン電流を供給受ける接地電極部；を持ったことを特徴にするマグネットを利用したマッサージ装置が下部に附着した化粧品容器。
【請求項８】
第１項において，
上記マッサージ装置部は
上面は密閉されて底面に貫通球を持ったマグネットと貫通球に熱電素子が設置されて金属になった作業電極部；
上記作業電極部下部と結合されて表示ランプが設置された電極分離帯；
上記電極分離帯下部に結合されて、バッテリーから電源の供給を受けてスイチング装置を持ってＭＣＵ（Ｍｉｃｒｏ  Ｃｏｎｔｒｏｌｌｅｒ  Ｕｎｉｔ）電子回から冷温電流の供給を受ける接地電極部；を持ったことを特徴にするマグネットを利用したマッサージ装置が下部に附着した化粧品容器。
【請求項９】
第１項において，
上記マッサージ装置部は
上面の中央がレーザーの調査のために貫通球が形成されて、底面に貫通球を持ったマグネットと貫通球に間にレーザー調査案内官が設置された作業電極部；
上記作業電極部下部と結合される電極分離帯；
上記電極分離帯下部に結合されてバッテリーから電源の供給を受けてスイチング装置を持ってレーザー調査のための電子回路から電流を供給受ける接地電極部；を持ったことを特徴にするマグネットを利用したマッサージ装置が下部に附着した化粧品勇容器。
【請求項１０】
第１項において，
上記マッサージ装置部は
上面の中央がｌｅｄの調査のために貫通球が形成されて、貫通球を阻むカラスのふたが設置されて、底面に貫通球を持ったマグネットと貫通球に間に光をてらすための案内官が設置された作業電極部；
上記作業電極部下部と結合されて表示ランプが設置された電極分離帯；
上記電極分離帯下部に結合されてバッテリーから電源の供給を受けてスイチング装置を持って、光をてらすための電子回路から電流を供給受ける接地電極部；を持ったことを特徴にするマグネットを利用したマッサージ装置が下部に附着した化粧品容器。
【請求項１１】
第１項において，
上記マッサージ装置部は
上面は密閉されて底面に貫通球を持った金属にコイルが絡められた設置された作業電極部；
上記作業電極部下部と結合されて、表示ランプが設置された電極分離帯；
上記電極分離帯下部に結合されて、バッテリーから電源の供給を受けてゾブリュを発生させる電流発生部；及びスイチング装置で電流の供給を受ける接地電極部；を持ったことを特徴にするマグネットを利用したマッサージ装置が下部に附着した化粧品容器。
【請求項１２】
第２項において，
上記電極分離帯は上記表示ランプの光が外部に透過されるように透明な材質で成り立ったことを特徴にするマグネットを利用したマッサージ装置が下部に附着した化粧品容器。
【請求項１３】
第２項において，
上記接地電極部は下部底面にバッテリー交換のために、バッテリーを設置するホームとバッテリー覆いを持った開閉区が形成されたことを特徴にするマグネットを利用したマッサージ装置が下部に附着した化粧品容器。
【請求項１４】
第１３項において，
上記接地電極である下部が手で握る時、滑らないように凸凹やわだかまりあごが形成されたことを特徴にするマグネットを利用したマッサージ装置が下部に附着した化粧品容器。
【請求項１５】
上記化粧品勇気の電源を認可する２次電池の充電のための充電器において，
上記マッサージ装置部下部構造に迎えるように充電端子が設置されたホームが形成されて、充電量を知らせるｌｅｄ表示ランプが設置される上部；
上部とお互いに対応する結合構造を持って充電のための回路基板が設置されて、回路基板には外部から電源の認可を受けるための連結ジャックが設置されて底面になる下部；
連結ジャックに結合されて電源を認可するアダプダが具備されたことを特徴にするマグネットを利用したマッサージ装置が下部に附着した化粧品容器。
【発明の詳細な説明】
【技術分野】
【０００１】  この発明は化粧品が体内で效果的に浸透するようにしてくれる補助マッサージ器を具備した化粧品容器に関するものだ。
【背景技術】
【０００２】  一般的に肌の表皮の角質層の下部には厚いタンパク質で成り立った防御の壁が形成されている。  このようなタンパク質の防御壁によって肌の表皮と陳皮が分離していて肌の表皮に附着される化粧品，栄養物質，薬剤などの物質が陳皮まで深く浸透されることができない。  このような物質が陳皮まで深く浸透されることができるようにガルバーニイオン電流（プラス（＋）電流及びマイナス（−）電流が繋がっている直流電流）を利用したイオントポレシス（ｉｏｎｔｏｐｈｏｒｅｓｉｓ），マグネット（ｍａｇｎｅｔ）の磁場，レーザーやＬＥＤの光の調査，超音波マサージ，遠赤外線，低周波そして熱電素子を利用した冷温マサージ機などを利用した多様な皮膚の美容補助器機などが開発されている。このような皮膚の美容補助器機を化粧品容器との取り付けと外しが容易にして携帯が簡便で化粧品の溶液の特性に合わせて使われるようにした。【０００３】  マグネット（ｍａｇｎｅｔ）すなわち磁場を利用した補助器機は血液のヘモグロビンに含まれている鉄の成分がＮ電極またはＳ電極に接触され、ヘモグロビンの機能が活性化になって酸素の運び，栄養の供給と廃棄物の放出がなだらかになって血行效果で肌トラブルが消えて肌が清らかになる。【０００４】  ガルバーニイオン電流を利用したイオントポレシス皮膚美容の補助器機は肌にイオン電流を流して肌にイオンの移動を誘導する器機だ．このようなガルバーニイオン電流を利用した皮膚の美容補助器機を利用してガルバーニイオン電流を肌に通せば上記ガルバーニイオン電流が肌内外に存在するイオンたちを移動させてイオンエネルギーを発生させる。  このようなイオンエネルギーは肌の神経をやんわりと緩み出しさせて物質を陳皮まで深く侵透するようにする。【０００５】  超音波を利用した補助機器は秒ことに振動数１００万から１８０万の高速振動で肌の組色深い所で高速マッサージが起きる  この微細な高速マッサージによって顔面のリンパの流れが好きになり、リンパ液が侵透しにくい細胞の間に染みこんで美容及び健康に大きい役に立つ效果を提供する。【０００６】  光を照らすレーザーやＬＥＤを利用した補助器機は肌に刺激を与えて血液の循環を促進させ，新陳代謝を盛んにすることは勿論，レーザー機によって肌疾患を予防して，肌疾患がある患者の還付に刺激を与えて肌疾患を治療することができるのだ。【０００７】  熱電素子を利用した冷温マッサージを利用した補助器機はＣＯＯＬ機能は肌弾力と毛穴縮小のお手助けになってＨＯＴ機能は肌の防御壁の緩み出し及び血液循環のお手助けになる。  プラズマを利用した皮膚の美容補助器機は肌にプラズマ電流を流して肌の殺菌及び美白に效果がある器機だ。  このような低温または高温プラズマ装置を利用して肌の中に寄生する毛嚢虫の制か肌の血行を手伝って肌が清らかになるようにしてくれて殺菌效果がすぐれる。このようなマサージ補助器機は公知されているが装置が大きくて複雑で高価なので一般人たちは易しく購入しにくいし携帯の不便な問題点がある。
【先行技術文献】
【０００８】
【特許文献】
【非特許文献】
【発明の概要】
【発明が解決しようとする課題】
【０００９】  本発明のマッサージ器が附着した化粧品容器は収容部の下部に取り付けと外しが可能に設置されたマッサージ装置；下部が密閉されて上部が開放されて物質の収容空間を持つ収容部；上記収容部の上部に取り付けと外しのできる結合されるふた部；を特徴的構成して上記収容部と下部密閉された底面に設置される磁性体と附着するマッサージ装置はマグネット（ｍａｇｎｅｔ）を内蔵したところと絶縁体になった分離帯を持って接地部が結合されたことが特徴的に構成されている。ここで本発明の上記マッサージ器が附着した化粧品容器は上記収容部に下部と結合されるマッサージ装置部はバッテリーからプラス（＋）電流またはマイナス（−）電流を供給する接地電極部，上記接地電極部と絶縁されるように電極分離帯が設置されて、バッテリーから接地電極と他極性のマイナス（−）電流またはプラス（＋）電流の供給を受けて接触された人体に供給する作業電極部を含む。
【課題を解決するための手段】
【発明の効果】
【００１０】  一方、本発明の上記マッサージ器が附着した化粧品容器は上記電極分離帯または上記接地電極部の外面に設置されて、上記電子回路で作業電極部への電流供給をスイチングする電源スイッチ；上記接地電極及び作業電極の間に設置されて、上記接地電極及び作業電極の間を絶縁する電極分離帯；上記接地電極部に開放された上部に設置されて，バッテリー及び上記電子回路が含まれ、上記作業電極及び接地電極で、それぞれマイナス（−）電流またはプラス（＋）電流を供給する回路基板；及び上記回路基板に設置されて、上記作業電極の動作可否を表示する表示ランプをもっと含む。一方，本発明の上記電極分離帯は上記表示ランプの光が外部に透過されるように透明な材質で成り立つとか不透明な電極分離帯の穴を通して表示ランプを照らすようにした。また人体感知センサーを表示ランプに連結して使用者が接地電極部を手で握って作業電極部を肌に接触させる時だけに点燈されるようにするすることができる。【００１１】    一方、本発明の上記電極分離帯の上部には上記作業電極部の下部が取り付けと外しが可能であり、貫通穴が形成される。一方、本発明の上記電子回路では上記のバッテリーから電源の供給受けてマイナス（−）電流及びプラス（＋）電流を発生させる電流発生部；及び上記作業電極及び接地電極にそれぞれ接続され、マイナス（−）電流及びプラス（＋）電流の極性を相互切り替える極性転換部を含む。【００１２】  一方、本の発明の上記電子回路では上記電流発生部で発生した音電流及び羊電流を増幅させる増幅部；上記増幅されたマイナス（−）電流及びプラス（＋）電流をそれぞれ作業電極及び接地電極で認可する制御部；及び上記接地電極部の底面または上記電極分離帯の外面に設置されて、使用者が上記極性転換部を制御することができる極性転換スィッチをもっと含む。【００１３】    一方、本発明の上記電源の供給部であるバッテリーを２次電池にして充電するように化粧品容器の下部に附着するマッサージ装置部と結合される独立された充電装置を設置することができる。【００１４】    一方、本発明の上記マッサージ装置部と収容部の下部にはお互いに取り付けと外しが可能に磁性体とマグネットが設置される．またお互いに対応する結合構造で凹凸の閉ざし形態や雌ねじと雄ねじの結合構造で設置されることもできる一方、本発明の上記マッサージ器が附着した化粧品容器は上記収容部の下部と結合されるマッサージ装置部は作業部に貫通穴が形成されて光を調査する光調査部が内部に設置されて電子回路から電流の供給を受けてｌｅｄやレーザー装置を通じて作業部で光を調査し、接地部や電極分離帯の外面にスイチングする電源動作スィッチを含む。【００１５】    一方、本発明の上記マッサージ器が附着した化粧品容器は上記収容部の下部と結合されるマッサージ装置部は電子回路から超音波周波数の供給を受けて作業電極部の圧電振動子を通じて超音波を発生させて接地電極部や電極分離帯の外面にスイチングする電源動作スィッチを含む。【００１６】    一方、本発明の上記マッサージ器が附着した化粧品容器は上記収容部の下部と結合されるマッサージ装置部は電子回路から冷温周波数の供給を受けてフライト版になる作業電極部と冷温熱電素子を通じて冷または温熱を発生させ、接地電極部や電極分離帯の外注面にスイチングする電源動作スィッチを含む。【００１７】    一方、本発明の上記マッサージ器が附着した化粧品容器は化粧品容器と取り付けと外しをするマッサージ器の肌接触面になる作業電極部にプラズマを接地して低温または高温のプラズマを発生させて顔面のリンパの流れが良くして炎症を殺菌しながら治療する效果を提供する。
【図面の簡単な説明】
【００１８】
【図１】は本発明のマグネットを利用したマッサージ装置が下部に附着した化粧品容器の構成を現わす斜時図だ。
【図２】は本発明の実試例１によるマグネットを利用したマッサージ装置が下部に附着した化粧品容器の構成を現わす分離図だ。
【図３】は本発明の実試例１によるマグネットを利用した電磁石マッサージ装置が下部に附着した化粧品容器の構成を現わす側端面図だ。
【図４】は本発明の実試例２によるマグネットを利用したイオン導入マッサージ装置が下部に附着した化粧品容器の構成を現わす分離図だ。
【図５】は本発明の実試例２によるマグネットを利用したイオンマッサージ装置が下部に附着した化粧品容器の構成を現わす側端面図だ。
【図６】は本発明の実試例３によるマグネットを利用したイオントポレシス措置が下部に附着した化粧品容器の構成を現わす分離図だ。
【図７】は本発明の実試例３によるマグネットを利用したイオントポレシス措置が下部に附着した化粧品容器の構成を現わす側端面図だ。
【図８】は本発明の実試例４によるマグネットを利用したレーザー調査装置が下部に附着した化粧品容器の構成を現わす分離図だ。
【図９】は本発明の実試例４によるマグネットを利用した光調査装置が下部に附着した化粧品容器の構成を現わす側端面図だ。
【図１０】は本発明の実試例５によるマグネットを利用した震動マッサージ装置が下部に附着した化粧品容器の構成を現わす分離図だ。
【図１１】は本発明の実試例５によるマグネットを利用した超音波マッサージ装置が下部に附着した化粧品勇気の構成を現わす側端面図だ。
【図１２】は本発明の実試例６によるマグネットを利用した冷温マッサージ装置が下部に附着した化粧品容器の構成を現わす分離図だ。
【図１３】は本発明の実試例６によるマグネットを利用した冷温マッサージ装置が下部に附着した化粧品容器の構成を現わす側端面図だ。
【図１４】は本発明の実試例１によるマグネットを利用した磁石マッサージ装置が下部に附着した化粧品容器が結合された姿を現わす側端面図だ。
【図１５】は本発明の実試例１によるマグネットを利用した電子石馬四肢装置が下部に附着した化粧品容器が結合された姿を現わす側端面図だ。
【図１６】は本発明の実試例２によるマグネットを利用したイオン導入マッサージ装置が下部に附着した化粧品容器が結合された姿を現わす側端面図だ。
【図１７】は本発明の実試例２によるマグネットを利用したイオントポレシスマサジザングチが下部に附着した化粧品容器のまた他の結合された姿を現わす側端面図だ。
【図１８】は本発明の実試例４によるマグネットを利用したレーザー調査装置が下部に附着した化粧品容器が結合された姿を現わす側端面図だ。
【図１９】は本発明の実試例４によるマグネットを利用した光マッサージ装置が下部に附着した化粧品容器が結合された姿を現わす側端面図だ。
【図２０】は本発明の実試例５によるマグネットを利用した震動マッサージ装置が下部に附着した化粧品容器が結合された姿を現わす側端面図だ。
【図２１】は本発明の実試例５によるマグネットを利用した草陰パーマ四肢装置が下部に附着した化粧品容器が結合された姿を現わす側端面図だ。
【図２２】は本発明の実試例６によるマグネットを利用した冷温マッサージ装置が下部に附着した化粧品容器が結合された姿を現わす側端面図だ。
【図２３】は本発明のマグネットを利用したマッサージ装置が下部に附着した化粧品容器の充電器の結合された姿を現わす側端面図だ。
【発明を実施するための最善の形態】
【００１９】  以下，添付された図面を参照して本発明の実施のための具体的な内容を説明する。
度１は本発明のマッサージ器が附着した化粧品容器の斜時図だ。
上記化粧品容器（１）は上部が開放されて下部は密閉されて底面に磁性体（１１）を附着した物質の収容空間を持つ収容部（１０）。上記収容部の開放された上部にタルブチァック可能に結合されるふた部（２０）及び上記収容部の下部に取り付けと外しが可能なマグネット（ｍａｇｎｅｔ）が設置されて肌をマッサージをするためにマッサージ装置部（９０）を持ったことを特徴で構成する。
【００２０】  図２は本発明の実試例１によるマッサージ器が附着した化粧品容器の構成を現わす斜時図で，図２は本発明の実試例１によるマグネットを利用した電子石マッサージ装置が下部に附着した化粧品容器の構成を現わす側端面図だ。
【００２１】  図２及び図３に示されたところのように，本発明の実試例１によるマグネットを利用したマッサージ装置が下部に附着した化粧品容器（１００）は収容部（１１０），ふた部（１２０）及びマッサーシ装置部（１９０）位を含む。
上記収容部（１１０）は化粧品，薬剤，営養分，粉末などの物質が収容されることができる収容空間（１１４）を持つように上部は開放されて下部は密閉された円または多角の形象に形成される．上記収容部（１１０）上部の外注面にはふた部（１２０）の下部の雌ねじ（１２５）が結合されるように一定の長さ位雄ねじ（１１５）が形成されている。
【００２２】  上記収容部（１１０）の下部はマッサージ装置部（１９０）が安着されるように密閉されたし下部底面には内に置くホーム（１１２）が形成されて、マッサージ装置部（１９０）の内蔵したマグネット（ｍａｇｎｅｔ）（１７５）が附着するように磁性体（１１１）やまた他のマグネット（ｍａｇｎｅｔ）が設置される。ふた部（１２０）の内面には上記収容部（１１０）の上部に形成された雄ねじ（１１５）がねじ結合されるように一定の長さ位雌ねじ山が形成された雌ねじ（１２５）が形成される．上記雄ねじ（１１５）及び雌ねじ（１２５）のような結合部はお互いに構成が反対になっても等しい機能を持つことができることは自明だ。
【００２３】  上記マッサージ装置部（１９０）は多角形または円筒形で作業部（１７０）と接地部（１３０）で構成されて二つの猛烈の間を分離する分離帯（１６０）が設置されてふた部（１２０）上部と取り付けと外しができるように作業部（１７０）底面にＳまたはＮ極のマグネット（ｍａｇｎｅｔ）（１７５）が附着する．そして分離帯（１６０）は多角形または円筒形の形象で成り立つが内部に貫通球（１６２）が形成になる。
上記マグネット（ｍａｇｎｅｔ）（１７５）が附着する作業部の底面をＳ極で，マグネット（ｍａｇｎｅｔ）（１７５）の反対面をＮ極で区別してＮ劇をスプリング（１５５）で接地部に連結して磁場の方向がＮ極でＳ極で流れるようにした．磁場の流れは電流の流れる方向すなわち＋わ−電極と関連がある．製品の特性によってマグネットの極性をＳ極でＮ極で流れるように変えて設置することもできる。また、バッテリーにスイチングされてマグネット（ｍａｇｎｅｔ）（１７５）の代わりをして貫通球がある金属のコイル（１７６）を巻いてバッテリーを利用して電流を流して電磁石（ｅｌｅｃｔｒｏ−ｍａｇｎｅｔ）の形態で磁場を仁義敵に生成して電源スイチング操作で磁場をパルス化することもできる．この時化粧品容器とマッサージ装置部（１９０）に付着形態はお互いに対応する結合構造で凹凸の閉ざし形態や雌ねじと雄ねじの結合構造で設置されられる。
【００２４】  図４は本発明の実試例２によるマグネットを利用したイオン導入マッサージ装置が下部に附着した化粧品容器の構成を現わす分離図で，図５は本発明の実施例２によるマグネットを利用したイオン導入マッサージ装置が下部に附着した化粧品容器の構成を現わす側端面図だ。
図４及び図５に都市されたところのように，本発明の実試例２によるマグネットを利用したマッサージ装置が下部に附着した化粧品容器（２００）は収容部（２１０），ふた部（２２０），マッサージ装置部（２９０）の接地電極部（２３０），バッテリー（２５０），電源スイッチ（２４０），電極分離帶（２６０），表示ランプ（２８０），作業電極部（２７０）位を含む。
【００２５】  上記ふた部（２２０）は円筒の形象で成り立って下部が開放されるが上記ふた部（２２０）の下部の面には上記収容部（２１０）の上部に形成された雄ねじ（２１５）と結合されるように一定の長さ位雌ねじ（２２５）が形成される。上記マッサージ装置部（２９０）は収容部下部に結合されて円筒の形象で成り立って作業電極部（２７０）と電極分離帯（２６０）と接地電極部（２３０）で構成されて作業電極部（２７０）には収容部底面の磁性体（２２１）と付着のためのマグネット（ｍａｇｎｅｔ）（２７５）が内臓設置される。
【００２６】  上記接地電極部（２３０）は円筒の形象で下部は密閉されて及び上部が開放されるが密閉されるが下部底面にバッテリー開閉装置が構成されてバッテリー（２５０）の電源にスイチングするスイッチ（２４０）が内に置かれている壁（図のない）が形成されて上記接地電極部（２３０）の上部の外注面には上記電極分離帯（２６０）の下部にはお互いに対応する結合部（２６１−ｂ，２３１−ａ）が形成される．上記結合部（２６１−ｂ，２３１−ａ）はお互いに構成が反対になっても等しい機能を持つことができることは自明だ。一方、上記接地電極部（２３０）は後述する作業電極部（２７０）の極性とお互いに反対極性を持つ。上記バッテリー（２５０）に電源の認可を受けて接地電極部（２３０）と作業電極部（２７０）でリード線（２５３）が繋がれてスイチングする電源スイッチ（２４０）の動作だけでイオン導入效果を与えることができる．作業電極部（２７０）と接地電極部（２３０）は電流が流れるように金属や導電性物質でコーティングされた合成樹脂を使う。
上記の電極分離帯（２６０）は上記接地電極部（２３０）及び上記作業電極部（２７０）の間に設置されて上記接地電極及び上記作業電極の間をお互いに絶縁することができるようにする。このような電極分離帯（２６０）は円筒状の形象で成り立つが上記接地電極部（２３０）の上部が挿入されるように内部に貫通球（２６２）が形成される。そして、上記電極分離帯（２６０）の内面には後述する作業電極部（２７０）や接地電極部（２３０）のお互いに対応する結合構造を持った結合部（２６１−ａ，２６０−ｂ）が形成される．このような電極分離帯（２６０）は不透明にさせて外面に通穴（２８１）を形成して表示ランプ（２８０）を設置することができる。
また、透明な材質に形成されて後述する表示ランプ（２８０）の点灯時、上記表示ランプ（２８０）の点灯光を上記電極分離帯（２６０）の外部に透過されることができるようにする。
上記バッテリー（２５０）はガルバーニ電池またはボルタ電池に指称されて、直流電流を発生させる１次電池である乾電池，水銀電池，リチウム電池，マンガン電池または充電が可能な２次電池であるニッケルカドミウム，ニッケル水素電池などで成り立つ。
上記バッテリー（２５０）のマイナス（−）電流またはプラス（＋）電流だけで電流の極性を利用してガルバーニイオン電流を発生させて磁場イオンマッサージができる。また２次電池である充電電池を充電するためにマッサージ部（２９０）と結合される独立された充電器（７００）街設置されられることができる。
一方、電源スイッチ（２４０）は上記接地電極部（２３０）の外壁に通穴（２３５）を通じてリード線（２３８）でバッテリー（２５０）や簡単な回路基板（２５１）に繋がれる。電源スイッチ（２４０）は容器の形態によって電極分離帯（２６０）に設置されることもできる。
上記作業電極部（２７０）は上記電極分離帯（２６０）の上部に設置されて上記バッテリー（２５０）からマイナス（−）電流またはプラス（＋）電流の供給を受けて接触された人体に供給する．そして作業電極部の肌接触時表示ランプが点燈するようにバッテリー（２５０）を通じて繋がれられた簡単な回路（図のない）が設置されられることができる。
上記簡単な回路はイオン導入はバッテリー（１．５Ｖ）の電源だけで可能だが肌の電流の流れを表示する表示ランプ（２８０）の点等のためにはトランジスターとダイオード描いて抵抗で繋がれた簡単な回路が必要だ．肌の接触部になる作業電極部（２７０）と人体のイオン導入のための接地部になる接地電極部（２３０）は電流が流れるように金属や導電性物質にコーティングされた合成樹脂を使う。
【００２７】    図６は本発明の実試例３によるマグネットを利用したイオントポレシスマッサージ措置が下部に附着した化粧品容器の構成を現わす分離図で，図７は本発明義実試例３によるマグネットを利用したイオントポレシスマサジ措置が下部に附着した化粧品容器の構成を現わす側端面図だ。図６及び図７に示されたところのように，本発明の実試例３によるマグネットを利用したマッサージ装置が下部に附着した化粧品容器（２００）は収容部（２１０），ふた部（２２０），接地電極部（２３０），バッテリー（２５０），回路基板（２５１），電源スイッチ（２４０），表示ランプ（２８０），電極分離帯（２６０），作業電極部（２７０）位を含む。
上記収容部（２１０）下部底面には内に置くホーム（２１２）が形成されて磁性体（２１１）が安着される．また収容部上部と結合するふた部（２２０）の下部の内面には上記収容部（２１０）の上部に形成された雄ねじ（２１５）とねじ結合されるように一定の長さ位、雌ねじ（２２５）が形成される。
マッサージ装置部（２９０）は円筒の形象で成り立って作業電極部（２７０）と電極分離帯（２６０）と接地電極部（２３０）で構成されて作業電極部（２７０）底面にはマグネット（ｍａｇｎｅｔ）（２７５）が附着して設置される。
【００２８】  上記接地電極部（２３０）は下部が密閉されて上部が開放されてバッテリー（２５０）と電子回路への回路基板（２５１）が安置されて内に置く壁（図のない）が形成される．一方、上記の接地電極部（２３０）は後述する作業電極部（２７０）の猛烈とお互いに反対極性を持つ。
【００２９】  上記回路基板（２５１）は上記接地電極部（２３０）や電極分離帯（２６０）に安置されて後面にはバッテリー（２５０）が固定される．上記回路基板（２５１）の後面には上記バッテリー（２５０）と上記接地電極部（２３０）を電気的に連結させるリード線（２５３）が設置される．上記回路基板（２５１）には上記バッテリー（２５０）の電源を利用し、イオン泳動電流（ガルバだからイオン電流）を発生させるＭＣＵ（ｍｉｃｒｏ  ｃｏｎｔｒｏｌｌｅｒ  ｕｎｉｔ）電子回路で（図のない）が接続するようになる。
一方、電源スイッチ（２４０）は上記電極分離帯（２６０）や接地電極部（２３０）の通穴（２３５）を通じて上記回路基板（２５１）のＭＣＵ（ｍｉｃｒｏ  ｃｏｎｔｒｏｌｌｅｒ  ｕｎｉｔ）電子回路で（図のない）と繋がれる．
このような電源スイッチ（２４０）は使用者の操作によって上記ＭＣＵ（ｍｉｃｒｏ  ｃｏｎｔｒｏｌｌｅｒ  ｕｎｉｔ）電子回路で（図のない）で上記接地電極部（２３０）及び作業電極部（２７０）への電流供給をスイチングする。
一方、表示ランプ（２８０）は上記回路基板（２３０）を通じて電極分離帯（２６０）の外面に設置されて上記作業電極部（２７０）の動作可否を表示する．上記表示ランプ（２８０）は上記接触部（図のない）に別に設置された人体感知センサー（図のない）によって上記接続部に人体が接触されれば点燈されるように構成することができる。
上記電子回路は上記バッテリー（２５０）から電源の供給を受けて上記イオン泳動電流を発生させる電流発生部と，上記電流発生部（図のない）で発生した電流すなわちイオン泳動電流を増幅させる増幅部（図のない）と，上記増幅されたイオン永同電流を作業電極（音（−）電流）及び接地電極（羊（＋）電流）で認可する制御富とＭＣＵ（ｍｉｃｒｏ  ｃｏｎｔｒｏｌｌｅｒ  ｕｎｉｔ）（味到の時）位を含む。そして本発明の回路期版（２５１）は上記作業電極部（２７０）及び接地電極部（２３０）で流れる電流の極性を相互切り替えてくれる極性転換部（図のない）をもっと含む．そして上記回路基板（２５１）の後面（すなわち接地電極（２３０）の後面）または上記作業電極部（２７０）の外注面には使用者が上記極性転換部（図のない）を制御することができる極性転換スイッチ（図のない）がもっと用意されることができる。
上記電極分離帯（２６０）は上記接地電極部（２３０）及び上記作業電極部（２７０）の間に設置されて接地電極及び作業電極の間をお互いに縁切りすることができるようにする。  このような電極分離帯（２６０）は円筒状の形象で成り立つが上記接地電極部（２３０）の下部が挿入されるように内部に貫通球（２６２）が形成される．また作業電極部（２７０）の外壁には通穴（２３５）形成されて電源をスイチングするスイッチ（２４０）が設置される．そして上記電極分離帯（２６０）の内面には後述する作業電極部（２７０）や接地電極部の連結部と結合されるように一定の長さ位お互いに対応する結合部（２６１−ａ，２６１−ｂ）が形成される。このような電極分離帯（２６０）は透明な材質に形成されて後述する表示ランプ（２８０）の点灯の時、上記表示ランプ（２８０）の点灯の光を上記電極分離帯（２６０）の外部で透過になることができるようにする。  また、電極分離帯（２６０）を不透明にさせて外面に通穴（２８１）を形成して表示ランプ（２８０）を設置することができるマグネット（ｍａｇｎｅｔ）（２７５）は収容部（２１０）下部底面に磁性体（２１１）との付着のために設置されるが肌と接触の時、増幅された回路のイオン導入とともに磁場マッサージができる。上記接触部（図のない）は上記本体の上部に形成されて物質が塗布されてインに接触される面積が広くなることができるように平坦に形成される。
上記本体と上記回路基板（２５１）は上記本体の内部に設置されるリード船（２５３）を通じて相互電気的に繋がれる。
【００３０】  図８は本発明の実試例４によるマグネットを利用したレーザー調査装置が下部に附着した化粧品容器の構成を現わす分離図で，図９は本発明の実試例４によるマグネットを利用した光を照らすイオンマッサージ措置が下部に附着した化粧品容器の構成を現わす側端面図である。
【００３１】  図８及び図９に示されたところのように，本発明の実試例４によるマグネットを利用したマッサージ装置が下部に附着した化粧品容器（３００）は収容部（３１０），ふた部（３２０），接地部（３３０），接地電極部（３３０−１），バッテリー（３５０），回路基板（３５１），レーザー調査部（３７７），ＬＥＤの光を照らすところ（３７７−１），電源スイッチ（３４０），表示ランプ（３８０），分離帯（３６０），電極分離帯（３６０−１），作業部（３７０），作業電極部（３７０−１）などをさらに含む。
【００３２】  図８は上記収容部（３１０）は化粧品，薬剤，栄養分，粉末などの物質が収容になることができる収容空間（３１４）を持つように上部は開放されて、下部は密閉された円筒または多角筒の形象に形成される。
上記収容部（３１０）は円筒の形象で成り立って、下部は密閉されて内に置くホーム（３１２）が形成されて底面には磁性体（３１１）が内蔵するとか附着する．また、上記ふた部（３２０）の下部の内面には上記収容部（３１０）の上部に形成された雄ねじ（３１５）とねじが結合されるように一定の長さ位雌ねじ（３２５）が形成される。
上記マッサージ装置部（３９０）は円筒の形象で成り立って作業部（３７０）と束地部（３３０）で構成されて，上記作業部（３７０）と作業部（３７０）底面に附着したマグネット（ｍａｇｎｅｔ）（３７５）には貫通球（３７２−ａ，３７５−ａ）が形成される．上記貫通球（３７２−ａ，３７５−ａ）の間で案内する管（３７３）が設置されて上記回路基板（３５１）から供給を受けた電源を利用して案内する管（３７３）の方向にレーザーを調査するレーザー調査部（３７７）をもっと設置する．上記レーザー調査部（３７７）は接触部（図のない）の肌との距離によって距離感知センサー（図のない）によって上記接触部（図のない）に人体が接触すればレーザーを調査するように構成することができる。
また上記作業部（３７０）と接地部（３３０）を作業電極部及び接地電極部にして上記作業電極及び上記接地電極の間をお互いに絶縁することができるように内部に貫通球（３６２）が形成された電極分離帯（３６０−１）を設置し、上記回路基板（３５１）には上記バッテリー（３５０）の電源を利用し、イオン泳動電流（ガルバーニイオン電流）を発生させる電子回路（図のない）がふくまれ、光を調査してイオン導入マッサージを一緒にできるように設置されたりする。ここで光調査と言う（のは）ＬＥＤの光を説明する。
レーザー調査は血行を改善させてくれてにきび治療及びコラーゲン生成のお手助けになってＬＥＤを利用した光治療は細胞の活性化と美白のお手助けになる。
【００３３】  図１０は本発明の実試例５によるマグネットを利用した震動マッサージ装置が下部に附着した化粧品容器の構成を現わす分離図で，図１１は本発明の実試例５によるマグネットを利用した超音波マッサージ装置が下部に附着した化粧品容器の構成を現わす側端面図である。
【００３４】  図１０に示されたところのように，本発明の実試例５によるマグネットを利用した震動マッサージ装置が下部に附着した化粧品容器（４００）は収容部（４１０），ふた部（４２０）接地電極部（４３０），バッテリー（４５０），回路基板（４５１），電源スイッチ（４４０），表示ランプ（４８０），電極分離帯（４６０），作業電極部（４７０），小型震動モーター（４７７）などを含む。
【００３５】  上記収容部（４１０）は円筒の形象で成り立って上部が開放されて下部は密閉されて底面に内に置くホーム（４１２）を置いて磁性体（４１１）が設置される．上記ふた部（４２  ０）の下部の内面には上記収容部（４１０）の開放された上部に形成された雄ねじ（４１５）とねじ結合されるように一定の長さ位雌ねじ（４２５）が形成される．上記雄ねじ（４１５）及び雌ねじ（４２５）のような結合部はお互いに構成が反対になっても等しい機能を持つことができることは自明だ。
マッサージ装置部（４９０）は円筒の形象で成り立って作業電極部（４７０）と電極分離帯（４６０）と接地電極部（４３０）で構成されて作業電極部（４７０）底面には震動のための小型震動モーター（４７７）の中央が貫通球（４７５−１）が形成されたマグネット（ｍａｇｎｅｔ）（４７５）の間に附着して設置される。
上記電極分離帯（４６０）は上記接地電極部（４３０）及び上記作業電極部（４７０）の間に設置されて接地電極及び作業電極の間をお互いに絶縁することができるようにする。  このような電極分離帯（４６０）は円筒状の形象で成り立つが、上記接地電極部（４３０）の下部が結合されて内部に貫通球（４６２）が形成される。
上記接地電極部（４３０）の開放された上部にはバッテリー（４５０）と電流発生回路を持った回路基板（４５１）が設置され、内にある壁（図のない）が形成されて下部は密閉されている．一方、上記接地電極部（４３０）は後述する作業電極部（４７０）の極性とお互いに反対強制を持つ。
上記回路基板（４５１）は上記接地電極部（４３０）の開放された上部に着されて上記接地電極部（４３０）の底面にはバッテリー（４５０）が開閉装置によって固定される。上記回路基板（４５１）の後面には上記バッテリー（４５０）と上記接地電極部（４３０）を電気的に連結させるリード線（４５３）が形成される。上記回路基板（４５１）には上記バッテリー（４５０）の電源を利用し、イオン永同電流（ガルバーニイオン電流）と小型震動モーター（４７７）を動かす電子回路で（図のない）が設置される。
一方、電源スイッチ（４４０）は上記接地電極部（４３０）通穴（４３５）を通じて上記回路基板（４５１）の電子回路と繋がれる。上記電源スイッチ（４４０）は容器の特性によって電極分離帯（４６０）に設置されたりする。このような電源スイッチ（４４０）は使用者の操作によって上記電子回路で上記接地電極部（４３０）及び小型震動モーター（４７７）に作業電極部（４７０）でモーター駆動電流とイオン電流の供給をスイチングする。作業電極部（４７０）と接地電極部（４３０）は電流が流れるように金属や導電性物質にコーティングされた合成樹脂を使う。
一方、表示ランプ（４８０）は上記回路基板（４３０）を通じて電極分離帯（４６０）の外面に設置されて、上記作業電極部（４７０）の動作可否を表示する．上記表示ランプ（４８０）は上記接触部（図のない）に別に設置された人体感知センサー（図のない）によって上記接続部（図のない）に人体が接触されると点燈されるように構成することができる。
上記回路基板（４５１）電子回路では上記バッテリー（４５０）から電源の供給を受けて上記イオントポレシス発生と小型震動モーター（４７７）の駆動を一緒にして製品の肌への吸収率を高める。また、もっと微細な震動のためには超音波震動を使うことができる。
【００３６】  図１１に示されたところのように，本発明の実試例５によるマグネットを利用したこの超音波マッサージ装置が下部に附着した化粧品容器（４００）は収容部（４１０），ふた部（４２０）接地電極部（４３０），バッテリー（４５０），回路基板（４５１），電源スイッチ（４４０），表示ランプ（４８０），電極分離帯（４６０），作業電極部（４７０），圧電素子（４７７−１）などを含む。
【００３７】  マッサージ装置部（４９０）は円筒の形象で成り立って作業電極部（４７０）と電極分離帯（４６０）と接地電極部（４３０）で構成されて作業電極部（４７０）底面には超音波震動のための圧電素子（４７７−１）の中央が貫通球（４７５−１）が形成されたマグネット（ｍａｇｎｅｔ）（４７５）の間に附着して設置される。
接地電極部（４３０）の開放された上部にはバッテリー（４５０）と超音波発生回路を持った回路基板（４５１）が設置される内にある壁（図のない）が形成される．一方、上記接地電極部（４３０）は後述する作業電極部（４７０）の極性とお互いに反対極性を持つ。
上記回路基板（４５１）は上記接地電極部（４６０）の開放された上部に安着されて上期接地電極部（４６０）の底面には開閉部を持ってバッテリー（４５０）が固定される。上記回路基板（４５１）の後面には上記バッテリー（４５０）と上記接地電極部（４３０）を電気的に路連結させるリード線（４５３）が設置される。上記回路基板（４５１）には上記バッテリー（４５０）の電源を利用し、イオン永同電流（ガルバーニイオン電流）と超音波電流を発生させる電子回路（図のない）が設置される。
一方、電源スイッチ（４４０）は上記接地電極部（４３０）の通穴（４３５）を通じて上記回路基板（４５１）の電子回路と繋がれる。上記電源スイッチ（４４０）は容器の特性によって電極分離帯（４６０）の設置されたりする。このような電源スイッチ（４４０）は使用者の操作によって上記電子回路で上記接地電極部（４３０）及び超音波圧電素子（４７７−１）が設置された作業電極部（４７０）で超音波電流とイオン電流の供給をスイチングする。
作業電極部（４７０）と接地電極部（４３０）は電流が流れるように金属や導電性物質でコーティングされた合成樹脂を使う。
一方、表示ランプ（４８０）は上記回路基板（４３０）を通じて電極分離帯（４６０）の外注面設置され、上記作業電極部（４７０）の動作可否を表示する。上記表示ランプ（４８０）は上記接触部（味到の時）に別に設置された人体感知センサー（図のない）によって上記接続部（図のない）に人体が接触されると点燈されるように構成することができる。
上記回路基板（４５１）電子回では上記バッテリー（４５０）から電源を供給受けて上記イオントポレシスと超音波周波数を発生させる周波数発生部（図のない）と，上記イオントポレシスと周波数発生部（図のない）で発生した周波数すなわちイオントポレシスと超音波数を増幅させる増幅部（味到の時）と，上記増幅されたイオントポレシスと超音波周波数を作業電極部（４７０）と作業電極部（４７０）底面の超音波発生のために圧電振動子（４７７−１）で認可する制御部とＭＣＵ（ｍｉｃｒｏ  ｃｏｎｔｒｏｌｌｅｒ  ｕｎｉｔ）（図のない）などを含む。
上記電極分離帯（４６０）は上記接地電極部（４３０）及び上記作業電極部（４７０）の間に設置され、上記接地電極及び上記作業電極の間をお互いに絶縁することができるようにする。このような電極分離帯（４６０）は円筒状の形象で成り立つが上記接地電極部（４３０）の下部が挿入されるように内部に貫通球（４６２）が形成される。そして上記電極分離帯（４６０）の内面には後述する作業電極部（４７０）と接地電極部（４３０）が結合するように一定の長さ位対応する結合部（４６１−ａ，４６１−ｂ）が形成される。このような電極分離帯（４６０）は透明な材質に形成されて後述する表示ランプ（４８０）の点等時、上記表示ランプ（４８０）の点等光を上記分離帯（４６０）の外部に透過されることができるようにする。また、不透明な分離帯の管（４８１）を形成して表示ランプを点燈することがある。
【００３８】  上記作業電極（４７０）上部底面には超音波圧電素子（４７７−１）が絶縁接着剤（４７６）で附着して、上記回路基板（４５１）から超音波周波数を取って作業電極部（４７０）を通じて接触された人体に超微細震動を供給する。作業電極部（４７０）は銀（銀），金（金）またはあかがね（銅）と一緒に電気前途が高い金属成分や合成樹脂に導電性物質がメッキされた形態で成り立つ。このような上記作業電極部（４７０）は本体，結合部（味到の時），接触部（４７４），リード線（４３８）などを含む。上記超音波圧電素子（４７７−１）は上記作業電極部（４７０）の底面に絶縁接着剤（４７６）に固定されて上記絶縁接着剤（４７６）はアルミナ（Ａｌ２Ｏ３）であることがある。
また、作業電極部（４７０）と絶縁接着剤（４７６）で附着する超音波圧電素子（４７７−１）は貫通されたマグネット（ｍａｇｎｅｔ）（４７５）が附着されて、超音波マッサージとイオン導入と磁場マッサージ器を同時にすることができる。
【００３９】  図１２は本発明の実試例６によるマグネットを利用した冷温マッサージ装置が下部に附着した化粧品容器の構成を現わす分離図で，図１３は本発明の実試例６によるマグネットを利用した冷温マッサージ装置が下部に附着した化粧品容器の構成を現わす側端面図だ。
【００４０】  図１２及び図１３に示されたように，本発明の実試例６によるマグネットを利用したマッサージ装置が下部に附着した化粧品容器（５００）は収容部（５１０），ふた部（５２０）接地電極部（５３０），バッテリー（５５０），回路基板（５５１），電源スイッチ（５４０），表示ランプ（５８０），電極分離帯（５６０），作業電極部（５７０），放熱版（５７８），放熱ファン（５７９），熱戦所定木（５７７）などを含む。
【００４１】  上記収容部（５１０）は円筒の形象で成り立って、上部が開放されて下部は密閉されて底面に内にあるホーム（５１２）を置いて磁性体（５１１）が置かれる。上記ふた部（５２  ０）の下部の内面には上記収容部（５１０）の開放された上部に形成された雄ねじ（５１５）とねじ結合されるように一定の長さ位雌ねじ（５２５）街形成される。
マッサージ装置部（５９０）は円筒の形象で成り立って作業電極部（５７０）と電極分離帯（５６０）と接地電極部（５３０）で構成されて作業電極部（５７０）底面には冷全発生のための熱電素子（５７７）が中央に貫通球（５７５−１）が形成されたマグネット（ｍａｇｎｅｔ）（５７５）の間に附着して設置される。
接地電極部（５３０）の開放された上部にはバッテリー（５５０）と冷温発生回路を持った回路基板（５５１）が安置される安置壁（図のない）が形成されて下部は密閉されている。そして、上記接地電極部（５３０）は後述する作業電極部（５７０）の極性とお互いに反対極性を持つ。
上記熱電素子（５７７）の後面には放熱版（５７８）と放熱ファン（５７９）が設置されて、上記バッテリー（５５０）と上記回路基板（５５１）を電気的に連結させるリード線（５５３）が構成される。上記回路基板（５５１）には上記バッテリー（５５０）の電源を利用し、イオン永同電流（ガルバーニイオン電流）と冷温電流を発生させる電子回路で（図のない）が設置される。
一方、電源スイッチ（５４０）は上記接地電極部（５３０）の管（５５３）通じて上記回路基板（５５１）の電子回路と繋がれる。また、電源スイッチ（５４０）は容器の特性によって電極分離帯（５６０）に設置されたりする。このような電源スイッチ（５４０）は使用者の操作によって上記電子回路で上記接地電極部（５３０）及び熱電素子（５７７）が設置された作業の電極部（５７０）で冷全電流とイオン電流の供給をスイチングする。作業電極部（５７０）と接地電極部（５３０）は電流が流れるように金属や導電性物質にコーティングされた合成樹脂を使う。
一方、表示ランプ（５８０）は上記回路基板（５３０）を通じて電極分離帯（５６０）の外注面設置されて上記作業電極部（５７０）の動作可否を表示する。上記表示ランプ（５８  ０）は上記接触部（図のない）に別に設置された人体感知センサー（図のない）によって、上記接続部（図のない）に人体が接触されると点燈されるように構成することができる。
上記回路基板（５５１）電子回路では上記バッテリー（５５０）から電源の供給を受けて上記イオントポレシスと冷温電流を発生させる電流発生部（味到の時）で作業電極部（５７０）と作業電極部（５７０）底面の冷全発生のために熱電素子（５７７）で認可する制御部とＭＣＵ（ｍｉｃｒｏ  ｃｏｎｔｒｏｌｌｅｒ  ｕｎｉｔ）（図のない）などを含む。
上記電極分離帯（５６０）は上記接地電極部（５３０）及び上記作業電極部（５７０）の間に設置されて、上記接地電極及び上記作業電極の間をお互いに絶縁ができるようにする。このような電極分離帯（５６０）は円筒状の形象で成り立つが、上記接地電極部（５３０）の下部が結合されるように内部に貫通球（５６２）が形成される。そして上記電極分離帯（５６０）の内面には後述する作業電極部（５７０）と接地電極部（５３０）が結合するように一定の長さ位対応する結合部（５６１−ａ，５６１−ｂ）が形成される。このような電極分離帯（５６０）は透明な材質に形成されて後述する表示ランプ（５８０）の点灯時、上記表示ランプ（５８０）の点灯光を上記分離帯（５６０）の外部に透過されることができるようにする。
上記作業電極部（５７０）上部底面には冷温熱電素子（５７７）が附着して、上記回路基板（５５１）から電流の供給を受けて作業電極部（５７０）を通じて接触された人体に冷熱または温熱を供給する。作業電極部（４７０）は銀（銀），金（金）またはあかがね（銅）と一緒に電気前途図が高い金属成分や合成樹脂に導電性物質がメッキされた形態で成り立つ。このような上記作業電極部（５７０）は本体，結合部（味到の時），接触部（米都市），リード線（５５３）などを含む。
また作業電極部（５７０）と附着する冷全熱電素子（５７７）は貫通されたマグネット（ｍａｇｎｅｔ）（５７５）が附着されて、冷温マッサージとイオン導入と磁場マッサージを同時にすることができる。
以下、本発明の実試例１ないし、実試例６によるマグネットを利用したマッサージ装置が下部に附着した化粧品容器の結合関係を説明する。
【００４２】  図１４は本発明の実試例１によるマグネットを利用したマッサージ装置が下部に附着した化粧品容器が結合された姿を現わす側端面図だ。
【００４３】  図２に示されたところのように，本発明の実試例１の図１４はマグネットを利用したマッサージ装置が下部に附着した化粧品容器（１００）の収容部（１１０）は一般化粧品をつけをことがある容器の形態で、上部は水溶液を盛ることができるように開放されて、外注壁に形成された雄ねじ（１１５）とふた部（１２０）の下部に形成された雌ねじ（１２５）がねじ山できた。そして、収容部（１１０）の密閉された下部底面にはマッサージ装置部（１９０）の設置されたマグネット（ｍａｇｎｅｔ）（１７５）が附着するように磁性体（１１１）やまた従ったマグネット（ｍａｇｎｅｔ）が附着する。
【００４４】  上記マッサージ装置部（１９０）は円筒状で作業部（１７０）と分離帯（１６０）と接地部（１３０）で構成されて、上記収容部（１１０）下部と取り付けと外しが可能に作業部（１７０）の底面にマグネット（ｍａｇｎｅｔ）（１７５）街設置される。上記作業部（１７０）の上部は密閉されて下部は開放されて接地部（１３０）と結合のために分離帯（１６０）が設置される。上記マグネット（ｍａｇｎｅｔ）（１７５）はマッサージ装置部（１９０）が収容部（１１０）に磁性体（１１１）と結合のために設置したがマグネット（ｍａｇｎｅｔ）（１７５）を利用した磁場マッサージをすることもできる。上記マッサージ装置部（１９０）で収容部下部と結合する作業部（１７０）は上部は密閉されて底面にＳ極または、Ｎ極のマグネット（ｍａｇｎｅｔ）（１７５）街附着して下部は開放されて分離帯（１６０）の上部の結合部（１６１−ａ）と対応する結合部（１７１−ａ）が形成されて結合される。そして、分離帯（１６０）は上部と下部には結合部（１６１−ａ，１６１−ｂ）がそれぞれ形成される。接地部（１３０）は上部が開放されて下部が密閉された形態で上部は分離帯の下部結合部（１６１−ｂ）と連結のために結合部（１３１−ａ）が形成されて作業部（１７０）に附着したマグネット（ｍａｇｎｅｔ）（１７５）の反対極Ｎ極またはＳ極が繋がれる。
【００４５】  図１５は本発明の実試例１によるマグネットを利用した電子石マッサージ措置が下部に附着した化粧品容器が結合された姿を現わす即端面図だ。
【００４６】  図３に示されたように，本発明の実試例１の図１５はマグネットを利用した電子石マッサージ装置が下部に附着した化粧品容器（１００）は一般化粧品を盛ることができる容器の形態で、上部は水溶液を盛ることができるように開放されて、外注壁に形成された雄ねじ（１１５）とふた部（１２０）の下部に形成された雌ねじ（１２５）が螺糸山に結合される。そして、収容部（１１０）の密閉された下部底面には、マッサージ装置部（１９０）の設置されたマグネット（ｍａｇｎｅｔ）（１７５）が附着するように、磁性体（１１１）やまた他のマグネット（ｍａｇｎｅｔ）が附着する。
【００４７】  上記マッサージ装置部（１９０）のマグネット（ｍａｇｎｅｔ）の代わりをして、貫通孔が形成された全属がコイルが絡められている構造で作業部（１７０）底面に附着する。この構造はバッテリー（１５０）の電源を利用し、電磁石（ｅｌｅｃｔｒｏｍａｇｎｅｔ）の原理で磁場を形成して、電源スイチング操作で磁場の磁力がｏｎ／ｏｆｆできる。そのためには作業部（１７０）が作業電極部（１７０−１）で底面に金属部（１７３）が形成されて、金属部（１７３）外面でコイル（１７６）が巻かれ、バッテリー（１５０）で電源を受けて電源スイチング（１４０）操作で磁場を形成することができる。接地部（１３０）も接地電極部（１３０−１）になってバッテリー（１５０）の作業電極部（１７０−１）の反対される極性が繋がれる。そして、電極分離帯（１６０）が上記接地電極部（１３０−１）及び上記作業電極部（１７０−１）の間に設置されて、上記接地電極及び上記作業電極の間を繋がれないようにした。連結構造はバッテリー（１５０）で電源を受けて動作する磁場マッサージ装置部（１９０）は、バッテリーのマイナス（−）電流は金属部（１７３）から作業電極（１７０−１）に繋がれて、プラス（＋）電流は電源スイッチ（１４０）を通じて接地電極部（１３０−１）に繋がれる。電源をスイチングする電源スイッチ（１４０）は、接地電極部（１３０）の通穴（１３５）に設置されることができるし、バッテリー（１５０）だけでイオン導入效果を見られる。ここにトランジスターやダイオードそして抵抗とｌｅｄの簡単な回路構成だけで人体感知表示ランプの点灯装置を表現することができるし、表示ランプを電極分離帯（１６０−１）に設置して視覚的に確認することができる。また、接地電極部（１７０）下部は密閉され、バッテリー交換を易しくするためにバッテリーを設置するホーム（１５６）とバッテリー覆い（１５７）が設置される。
【００４８】  図１６は本発明の実試例２によるマグネットを利用したイオン導入マッサージ装置が、下部に附着した化粧品容器が結合された姿を現わす側端面図だ。
【００４９】  図４，図５，ないし、図１６に示されたように，本発明の実試例２の図１６はマグネットを利用したイオンマッサージ装置が、下部に附着した化粧品容器（２００）は図２に示されたように，本発明の実試例１の図１４はマグネットを利用したマッサージ装置が下部に附着した化粧品容器（２００）において，収容部（２１０）は一般化粧品を盛ることができる容器の形態で上部は、水溶液を盛ることができるように開放されて、外壁に形成された雄ねじ（２１５）とふた部（２２０）の下部に形成された雌ねじ（２２５）が螺糸山に結合される．そして上記収容部（２１０）の密閉された下部底面には磁性体（２１１）やまた他のマグネット（ｍａｇｎｅｔ）が附着する．ここに本発明は使用者が上記化粧品容器（２００）のふた部（２２０）を上記収容部（２１０）で正方向または逆方向で回転して脱落または付着させることができる。
上記マッサージ装置部（２９０）は円筒の形象で成り立って、作業電極部（２７０）と電極分離帯（２６０）そして接地電極部（２３０）で連結構成される。
上記作業電極部（２７０）は電流が流れるように金属や導電性物質にコーティングされた合成樹脂になっているし、円筒の形象で上部対面は密閉されて、底面には収容部下部に磁性体（２１１）と付着のためのマグネット（ｍａｇｎｅｔ）（２７５）が設置される。下部はハウジングを持って開放されて結合部（２７１−ｂ）が形成される。
上記電極分離帯（２６０）は中央に貫通球（２６２）が形成されているし、上部は上記作業電極部（２７０）下部の結合部（２７１−１）と繋がれるために、対応する結合部（２６１−ａ）が形成されているし、下部には結合部（２６１−ｂ）が形成される。そして、上記電極分離帯の外面には表示ランプ（２８０）を設置するために通穴（２８１）が形成される。
上記接地電極部（２３０）は電流が流れるように、金属や導電性物質にコーティングされた合成樹脂になっているし、円筒の形象で上部はハウジングを持って開放されて、電極分離帯（２６０）の下部の結合部（２６１−ｂ）と繋がれるために対応する結合部（２３１−ａ）が形成されている。そして、下部底面にはバッテリー（２５０）の交換を易しくするため、バッテリーが設置されるホーム（２５６）が形成されて、バッテリーふた（２５７）が設置されて外注面で電源スイッチ（２４０）が設置されるように通穴（２３５）が形成される。また、ハウジング内部に電子回路を持った回路基板（２５１）が設置されながら安着するためのひっかかる台（図のない）が設置される。
上記マッサージ装置部（２９０）の作業電極部（２７０）と接地電極部（２３０）そしてバッテリー（２５０）と電源スイッチ（２４０）と電子回路を持った回路基板（２５１）は導電性物質のリード線（２５３）でお互いに繋がれている。電源の動作後、使用者が肌に化粧品を塗った後、接地電極部（２３０）を手で握れば接地電流（陰イオン（−），陽イオン（＋））は人体に流れて、作業電極部（２７０）を肌に接触すれば作業電流（陽イオン（＋），陰イオン（−））が接触された肌に流れて極性（（陰イオン（−），陽イオン（＋））によって化粧品の吸収と放出を助けるイオンマッサージができる。
【００５０】  図１７は本発明の実試例３によるマグネットを利用したイオントポレシスマッサージ措置が下部に附着した化粧品容器が結合された姿を現わす側端面図だ。
【００５１】  図６，図７，ないし、図１７に示されたように，本発明の実試例３の図１７はマグネットを利用したイオントポレシスマッサージ措置が下部に附着した化粧品容器（２００）において，収容部（２１０）は、一般化粧品を盛ることができる容器の形態で、上部は水溶液を盛ることができるように開放されて、外壁に形成された雄ねじ（２１５）とふた部（２２０）の下部に形成された雌ねじ（２２５）が螺糸山に結合される。そして、上記収容部（２１０）の密閉になった下部底面には磁性体（２１１）やまた他のマグネット（ｍａｇｎｅｔ）が附着する。ここに本発明は使用者が上記化粧品容器（２００）のふた部（２２０）を上記収容部（２１０）で、正方向または逆方向で回転して、脱落または付着させることができる。
上記マッサージ装置部（２９０）は円筒の形象で成り立って、作業電極部（２７０）と電極分離帯（２６０）そして接地電極部（２３０）で連結構成される。
上記作業電極部（２７０）は電流が流れるように、金属や導電性物質にコーティングされた合成樹脂になっているし、円筒の形象で上部対面は密閉されて底面には、収容部下部に磁性体（２１１）と付着のためのマグネット（ｍａｇｎｅｔ）（２７５）が設置される。下部はハウジングを持って開放されて結合部（２７１−ｂ）が形成される。
上記電極分離帯（２６０）は中央に貫通球（２６２）が形成されているし、上部は上記作業電極部（２７０）下部の結合部（２７１−１）と繋がれるために対応する結合部（２６１−ａ）が形成されているし、下部には結合部（２６１−ｂ）が形成される。そして、上記電極分離帯の外注面には表示ランプ（２８０）を設置するために通穴（２８１）が形成される。
上記接地電極部（２３０）は電流が流れるように、金属や導電性物質にコーティングされた合成樹脂になっているし、円筒の形象で上部はハウジングを持って開放されて、電極分離帯（２６０）の下部の結合部（２６１−ｂ）と繋がれるために対応する結合部（２３１−ａ）が形成されている。そして、下部底面にはバッテリー（２５０）の交換を易しくするために、バッテリーが設置されるホーム（２５６）が形成されてバッテリー覆い（２５７）が設置されて、外面で電源スイッチ（２４０）が設置されるようにトングゴング（２３５）が形成される。また、ハウジング内部に増えたＭＣＵ（ｍｉｃｒｏ  ｃｏｎｔｒｏｌｌｅｒ  ｕｎｉｔ）電子回路を持った回路基板（２５１）が設置されて安着するための台（味到の時）が設置される。
上記マッサージ装置部（２９０）の作業電極部（２７０）と接地電極部（２３０）そして、バッテリー（２５０）と電源スイッチ（２４０）と電子回路を持った回路基板（２５１）は導電性物質のリード線（２５３）でお互いに繋がれている．電源動作後使用者が肌に化粧品を塗った後、接地電極部（２３０）を手で握れば接地電流（陰イオン（−），陽イオン（＋））は人体に焼けて流れて作業電極部（２７０）を肌に接触すれば作業電流（陽イオン（＋），陰イオン（−））が接触された肌に流れて極性（（陰イオン（−），陽イオン（＋））によって、化粧品の吸収と排出を助けるイオントポレシスマッサージができる。
【００５２】  図８は本発明の実試例４によるマグネットを利用した肌レーザーマッサージ装置が下部に附着した化粧品容器が結合された姿を現わす分離図と側端面図である。
【００５３】  図８，図１８に示されたところのように，本発明の実試例４の図１８はマグネットを利用した肌レーザーマッサージ装置が下部に附着した化粧品容器（３００）において，収容部（３１０）は一般化粧品を入れることができる容器の形態で、上部は水溶液を入れることができるように開放され、外壁に形成された雄ねじ（３１５）とふた部（３２０）の下部に形成された雌ねじ（３２５）が螺糸山に結合される。そして、上記収容部（３１０）の密閉された下部底面には、磁性体（３１１）やまた従ったマグネット（ｍａｇｎｅｔ）が附着する。ここに本発明は使用者が上記化粧品容器（３００）のふた部（３２０）を上記収容部（３１０）で丁方向または、逆方向で回転して取り付けと取り外せることができる。上記マッサージ装置部（３９０）は円筒の形象で成り立って作業部（３７０）と分離台（３６０）そして、接地部（３３０）で連結される。
上記作業部（３７０）は円筒の形象で上部対面には中央に貫通球（３７２−１）が形成されて、底面には収容部下部に磁性体（３１１）と付着のための貫通球（３７５−１）を持ったマグネット（ｍａｇｎｅｔ）（３７５）が設置されて貫通球（３７５−１）の間にレーザーの調査のための．案内管（３７３）が設置されて下部はハウジングを持って開放されて結合部（３７１−ｂ）が形成される。
上記電極分離帯（３６０）は中央に貫通球（３６２）が形成されているし上部は上記作業電極部（３７０）下部の結合部（３７１−１）と繋がれるために対応する結合部（３６１−ａ）が形成されているし下部には結合部（３６１−ｂ）が形成される。
上記接地部（３３０）は円筒の形象で上部はハウジングを持って開放されて電極分離帯（３６０）の下部の結合部（３６１−ｂ）と繋がれるために対応する結合部（３３１−ａ）が形成されている。そして、下部底面にはバッテリー（３５０）の交換を易しくするために、バッテリーを置くホーム（３５６）が形成されてバッテリー覆い（３５７）が設置されて、外注面で電源スイッチ（３４０）が設置されるように通穴（３３５）が形成される。  また、ハウジング内部にはレザー調査部（３７７）と電子回路を持った回路基板（３５１）が設置され、着するための引っかかる所（図のない）が設置される．
上記マッサージ装置部（３９０）の作業部（３７０）と接地部（３３０）そして、バッテリー（３５０）と電源スイッチ（３４０）と電子回路を持った回路基板（３５１）は道電性物質のリード線（３５３）でお互いに繋がれている。電源動作後、使用者が肌に化粧品を塗った後、接地部（３３０）を手で握って作業部（３７０）のレーザーの調査を通じてにきび治療や血不在省力を高める肌レーザーマッサージができる。
【００５４】  図１９は本発明の実試例４にマグネットを利用した光調査マッサージ装置が下部に附着した化粧品容器が結合された姿を現わす側端面図である。
【００５５】  図９，図１９に示されたところのように，本発明の実試例４の図１９は、マグネットを利用した光調査マッサージ装置が下部に附着した化粧品容器（３００）において，収容部（３１０）は一般化粧品を入れることができる容器の形態で、上部は水溶液を入ることができるように開放されて外壁に形成された雄ねじ（３１５）とふた部（３２０）の下部に形成された雌ねじ（３２５）が螺糸山に結合される．そして上記収容部（３１０）の密閉された下部底面には磁性体（３１１）やまた従ったマグネット（ｍａｇｎｅｔ）が附着する．ここに本発明は使用者が上記化粧品（３００）のふた部（３２０）を上記収容部（３１０）で丁方香または逆方向で回転して容器、取り付けと外すことができる。
上記マッサージ装置部（３９０）は円筒の形象で成り立って作業電極部（３７０−１）と分離台（３６０）そして接地電極部（３３０−１）で構成される。
上記作業電極部（３７０−１）は円筒の形象で上部対面には中央に貫通球（３７２−１）が形成されて底面には収容部下部に磁性体（３１１）と付着のための貫通球（３７５−１）を持ったマグネット（ｍａｇｎｅｔ）（３７５）が設置されて、貫通球（３７５−１）の間に光を照らすための案内管（３７３）が設置され、下部はハウジングを持って開放されて結合部（３７１−ｂ）が形成される。
上記電極分離帯（３６０）は中央に貫通球（３６２）が形成されているし上部は上記作業電極部（３７０−１）下部の結合部（３７１−１）と繋がれるために対応する結合部（３６１−ａ）が形成されているし、下部には結合部（３６１−ｂ）が形成される。
上記接地電極部（３３０−１）は円筒の形象で上部はハウジングを持って開放されて電極分離分離帯（３６０）の下部の結合部（３６１−ｂ）と繋がれるために対応する結合部（３３１−ａ）が形成されている。そして下部底面にはバッテリー（３５０）の交換を有効にするためバッテリーの置くホーム（３５６）が形成されて、バッテリーふた（３５７）が設置されて外面で電源スイッチ（３４０）が設置されるように管（３３５）が形成される。また、ハウジング内部に増えた光を照らす所（３７７−１）と電子回路を持った回路基板（３５１）が設置されながら安着するための引っかかる所（図のない）が設置される。
上記マッサージ装置部（３９０）の作業電極部（３７０−１）と接地電極部（３３０−１）そして、バッテリー（３５０）と電源スイッチ（３４０）と電子回路を持った回路基板（３５１）は道電性物質義リード線（３５３）でお互いに繋がれている。電源の動作した後、使用者が肌に化粧品を塗った後、接地電極部（３３０）を手で握れば接地電流（陰イオン（−），陽イオン（＋））は立ったままに乗って流れて作業電極部（３７０）を肌に接触すれば作業電流（陽イオン（＋），陰イオン（−））が接触された肌に流れて極性（（陰イオン（−），陽イオン（＋））によって、化粧品の吸収と排出を助けるイオンマッサージと光調査マッサージが共にできる。イオン導入回路で作業電極部（３７０）の繋がれたリード線（３５３）をとり除けば光を照らすところ（３７７）を利用した光を照らすマッサージ器のみを使うことができる。
【００５６】  図２０は本発明の実試例５にマグネットを利用した震動マッサージ装置が下部に附着した品容器が結合された姿を現わす側端面図である。
【００５７】  図１０，図２０に示されたように，本発明の実試例５の図２０はマグネットを利用した震動マッサージ装置が下部に附着した化粧品容器（４００）において，収容部（４１０）は一般化粧品を入れることができる容器の形態で上部は水溶液を入ることができるように開放され、外壁に形成された雄ねじ（４１５）とふた部（４２０）の下部に形成された雌ねじ（４２５）が螺糸山に結合される。そして、上記収容部（４１０）の密閉された下部底面には磁性体（４１１）やまた従ったマグネット（ｍａｇｎｅｔ）が附着する。ここに本発明は使用者が上記化粧品容器（４００）のふた部（４２０）を上記収容部（４１０）で丁方香または逆方向で回転して脱落または付着させることができる。
上記マッサージ装置部（４９０）は円筒の形象で成り立って作業電極部（４７０）と電極分離帯（４６０）そして接地電極部（４３０）で連結構成される。
上記作業電極部（４７０）は電流が流れるように金属や道電性物質にコーティングされた合成樹脂になっているし円筒の形象で上部対面は密閉されて、底面には収容部下部に磁性体（４１１）と付着のための貫通球（４７５−１）を持ったマグネット（ｍａｇｎｅｔ）（４７５）が設置され、貫通球（４７５−１）の間に微細震動のために小型震動モットー（４７７）が設置され、下部はハウジングを持って開放されて結合部（４７１−ｂ）が形成される。
上記電極分離帯（４６０）は中央に貫通球（４６２）が形成されているし、上部は上記作業電極部（４７０）下部の結合部（４７１−１）と繋がれるために対応する結合部（４６１−ａ）が形成されているし、下部には結合部（４６１−ｂ）が形成される。そして、上記電極分リデ外注面には表示ランプ（４８０）を設置するために通穴（４８１）が形成される。
上記接地電極部（４３０）は電流が流れるように金属や導電性物質にコーティングされた合成樹脂になっているし円筒の形象で上部はハウジングを持って開放されて電極分離帯（４６０）の下部の結合部（４６１−ｂ）と繋がれるために対応する結合部（４３１−ａ）が形成されている。そして、下部底面にはバッテリー（４５０）の交換をスィブ有効にするため、バッテリーを設置するホーム（４５６）が形成されて、バッテリーふた（４５７）が設置されて外面で電源スイッチ（４４０）が設置されるように通穴（４３５）が形成される。また、ハウジング内部に増えた電子回路を持った回路基板（４５１）が設置されながら安着するための引っかかる所（図のない）が設置される。
上記マッサージ装置部（４９０）の作業電極部（４７０）と接地電極部（４３０）そしてバッテリー（４５０）と電源スイッチ（４４０）と電子回路を持った回路基板（４５１）は導電性物質のリード線（４５３）でお互いに繋がれている。電源動作後、使用者が肌に化粧品を塗った後、接地電極部（４３０）を手で握れば接地電流（陰イオン（−），陽イオン（＋））は人体に焼けて流れて作業電極部（４７０）を肌に接触すれば作業電流（陽イオン（＋），陰イオン（−））が接触された肌に流れて極性（（陰イオン（−），陽イオン（＋））によって化粧品の吸収とお腹出を助けるイオントポレシスマッサージとともに肌をたたいてくれる震動マッサージができる。イオントポレシスフェロで作業電極部（４７０）の繋がれたリード線（４５３）をとり除けば小型震動モーター（４７７）を利用した冷温マッサージ器のみを使うことができる。
【００５８】  図２１は本発明の実試例５にマグネットを利用した超音波マッサージ器が下部に附着した化粧品容器が結合された姿を現わす側端面図である。
【００５９】  図１１，図２１に示されたところのように，本発明の実試例５の図２１はマグネットを利用した震動マッサージ装置が下部に附着した化粧品容器（４００）において，収容部（４１０）は一般化粧品を入れることができる容器の形態で上部は水溶液を入れることができるように開放されて、外注壁に形成された雄ねじ（４１５）とふた部（４２０）の下部に形成された雌ねじ（４２５）が螺糸山に結合される．そして上記収容部（４１０）の密閉された下部底面には磁性体（４１１）やまた従ったマグネット（ｍａｇｎｅｔ）が附着する．ここに本の発明は使用者が上記化粧品容器（４００）のふた部（４２０）を上記収容部（４１０）で丁方香または逆方向で回転して脱落または付着させることができる。
上記マッサージ装置部（４９０）は円筒の形象で成り立って作業電極部（４７０）と電極分離帯（４６０）そして接地電極部（４３０）で連結構成される。
上記作業電極部（４７０）は電流が流れるように金属や導電性物質にコーティングされた合成樹脂になっているし、円筒の形象で上部対面は密閉されて底面には収容部下部に磁性体（４１１）と付着のための貫通球（４７５−１）を持ったマグネット（ｍａｇｎｅｔ）（４７５）が設置されて、貫通球（４７５−１）の間に超音波発生ために超音波圧電素子（４７７）が設置され、下部はハウジングを持って開放されて結合部（４７１−ｂ）が形成される．上記作業電極部（４７０）上部底面には超音圧電素子（４７７）が絶縁接着剤（４７６）で附着して、上記回路基板（４５１）から超音波の供給を受けて作業電極部（４７０）を通じて接触された人体に超微細震動を供給する。上記圧電素子（４７７）は上記作業電極部（４７０）の底面に絶縁された接着剤（４７６）に固定されて、上記縁切り接着剤（４７６）はアルミナ（Ａｌ２Ｏ３）日ことがある。
上記電極分離帯（４６０）は中央に貫通球（４６２）が形成されているし、上部は上記作業電極部（４７０）下部の結合部（４７１−１）と繋がれるために対応する結合部（４６１−ａ）が形成されているし、下部には結合部（４６１−ｂ）が形成される。そして、上記電極分離台の外注面には表示ランプ（４８０）を設置するために管（４８１）が形成される。
上記接地電極部（４３０）は電流が流れるように金属や導電性物質にコーティングされた合成樹脂になっているし、円筒の形象で上部はハウジングを持って開放されて電極分離帯（４６０）の下部の結合部（４６１−ｂ）と繋がれるために対応する結合部（４３１−ａ）が形成されている．そして、下部底面にはバッテリー（４５０）の交換を易しくするためにバッテリーを設置するホーム（４５６）が形成されてバッテリーふた（４５７）が設置されて、外面で電源スイッチ（４４０）が設置されるように通穴（４３５）が形成される。また、ハウジング内部に増えた超音波とイオントポレシス発生のためにＭＣＵ（ｍｉｃｒｏ  ｃｏｎｔｒｏｌｌｅｒ  ｕｎｉｔ）電子回路を持った回路基板（４５１）が設置されながら安着するための引っかかり所（図のない）が設置される。
上記マッサージ装置部（４９０）の作業電極部（４７０）と接地電極部（４３０）そして、バッテリー（４５０）と電源スイッチ（４４０）と電子回路を持った回路基板（４５１）は導電性物質のリード線（４５３）でお互いに繋がれている。電源動作後、使用者が肌に化粧品を塗った後、接地電極部（４３０）を手で握れば接地電流（陰イオン（−），陽イオン（＋））は人体に焼けて流れて作業電極部（４７０）を肌に接触すれば作業電流（陽イオン（＋），陰イオン（−））が接触された肌に流れて極性（（陰イオン（−），陽イオン（＋））によって化粧品の吸収とお腹出を助けるイオントポレシスマッサージ器と超音波震動マッサージが同時にできる。
イオントポレシス回路で作業電極部（４７０）の繋がれたリード線（４５３）をとり除けば圧電素子（４７７−１）を利用した超音波マッサージ器のみを使うことができる。
【００６０】  図２２は本発明の実試例６にマグネットを利用した冷温マッサージ装置が下部に附着した化粧品容器が結合された姿を現わす側端面図である。
【００６１】  図１２，図１３，図２２に示されたように，本発明の実試例６の図２２はマグネトを利用した冷温マッサージ装置が下部に附着した化粧品容器（５００）において、収容部（５１０）は一般化粧品を入れることができる容器の形態で上部は水溶液を入れることができるように開放されて、外注壁に形成された雄ねじ（５１５）とふた部（５２０）の下部に形成された雌ねじ（５２５）が螺糸山に結合される。そして、上記収容部（５１０）の密閉された下部底面には磁性体（５１１）やまた従ったマグネット（ｍａｇｎｅｔ）が附着する。ここに本発明は使用者が上記化粧品容器（５００）のふた部（５２０）を上記収容部（５１０）で丁方向または逆方向で回転して、取り付けと外せることができる。
上記マッサージ装置部（５９０）は円筒の形象で成り立って作業電極部（５７０）と電極分離帯（５６０）そして、接地電極部（５３０）で連結構成される。
上記作業電極部（５７０）は電流が流れるように金属や導電性物質にコーティングされた合成樹脂になっているし円筒の形象で上部対面は密閉されて底面には収容部下部に磁性体（５１１）と付着のための貫通球（５７５−１）を持ったマグネット（ｍａｇｎｅｔ）（５７５）が設置されて貫通球（５７５−１）の間に冷熱または、温熱発生ために冷温熱電素子（５７７）が設置されて下部はハウジングを持って開放されて結合部（５７１−ｂ）が構成される。
上記電極分離帯（５６０）は中央に貫通球（５６２）が形成されているし、上部は上記作業電極部（５７０）下部の結合部（５７１−１）と繋がれるために対応する結合部（５６１−ａ）が形成されているし、下部には結合部（５６１−ｂ）が形成される。そして、上記電極分離台の外面には表示ランプ（５８０）を設置するために通穴（５８１）が形成される。
上記接地電極部（５３０）は電流が流れるように金属や導電性物質にコーティングされた合成樹脂になっているし、円筒の形象で上部はハウジングを持って開放されて電極分離台（５６０）の下部の結合部（５６１−ｂ）と繋がれるために対応する結合部（５３１−ａ）街形成されている。そして、下部底面にはバッテリー（５５０）の交換を易しくするためにバッテリーを設置するホーム（５５６）が形成されて、バッテリーふた（５５７）が設置されて、外面で電源スイッチ（５４０）が設置されるように管（５３５）が形成される。また、ハウジング内部に増えた冷熱または温熱とイオントポレシス発生のために、ＭＣＵ（ｍｉｃｒｏ  ｃｏｎｔｒｏｌｌｅｒ  ｕｎｉｔ）電自回路を持った回路基板（５５１）が設置され安着するための引っかかりの台（図のない）が設置される。
上記マッサージ装置部（５９０）の作業電極部（５７０）と接地電極部（５３０）そしてバッテリー（５５０）と電源スイッチ（５４０）と電子回路を持った回路基板（５５１）は、導電性物質のリード線（５５３）でお互いに繋がれている。電源動作後、使用者が肌に化粧品を塗った後、接地電極部（５３０）を手で握れば接地電流（陰イオン（−），陽イオン（＋））は人体に焼けて流れて作業電極部（５７０）を肌に接触すれば作業電流（陽イオン（＋），陰イオン（−））が接触された肌に流れて極性（（陰イオン（−），陽イオン（＋））によって化粧品の吸収と放出を助けるイオントポレシスマッサージ器とともに冷温熱マッサージができる。イオントポレシス回路で作業電極付の繋がれたリード線（５５３）をとり除けば熱電素子（５７７）を利用した冷温マッサージ器のみを使うことができる。
【００６２】  ２３は本発明のよったマグネットを利用したマッサージ装置が下部に附着した化粧品容器のマッサージ器の充電のための独立された充電器（７００）の構造を現わす側端面図である。
充電器上部本体（７１０）はマッサージ器の充電のためにマッサージ装置部（７９０）下部構造に合わせ充電端子（７１１）が設置された収納ホーム（７１２）が形成されて、充電量を知らせるｌｅｄ表示ランプ（７１３）が設置される。そして、充電器下部本体（７２０）は底面になって上部とお互いに対応する結合構造に結合されて、充電器（７００）内部は充電のための回路期版（７２１）が設置されて、側には電源の供給を受けて上部本体（７１０）の充電端子（７１３）と回路基板（７２１）で伝達するためのケーブル（７１４）が装着される下部本体（７５０）で成してそのケーブル（７１４）によってアダプダ（７２３）が繋がれる。
以上，本発明はたとえ限定された構成と図面によって説明されたが，本発明の技術的思想はこのようなことに限定されないし，本発明が属する技術分野で通常の知識を持った者によって，本発明の技術的思想と下期記載する特許請求範囲の均等範囲内で多様な修正及び変形実施が可能だろう。
【実施例】
【００６３】  本の発明の上記マッサージ器が附着した化粧品容器は収容部と結合する収容部下部の底面に磁性体を置いて、マッサージ装置部作業部の底面にマグネット（ｍａｇｎｅｔ）を設置して、取り付けと外しが可能にすることで、使用者が化粧品容器の結合されたマグネット（ｍａｇｎｅｔ）を利用した磁場マッサージ器を通じて、肌の血行を良くして肌に弾力を与える效果を持った器機を簡便に携帯しながら使うことができるようにする效果を提供する。【００６４】  また、本の発明のマッサージ器が附着した化粧品容器は収容部底面に附着した磁性体と結合されるマッサージ装置部は取り付けと外しの可能なマグネットが内蔵された作業電極部とバッテリーが設置されるための壁を形成して、簡単な回路を回路版が置かされた接地電極部，そして、バッテリーから電源を受けてスイチングする電源スイッチが設置されて、二つの電極の間を絶縁させる電極分離台が形成されて、バッテリーのプラス（＋）電流及びマイナス（−）電流を利用して使用者が上記イオン導入效果のマッサージ器が結合された化粧品容器を通じて簡便に携帯しながら使うことができるようにする效果を提供する。上記バッテリーはガルバーニ電池またはボルタ電池に指称されて直流電流を発生させる１次電池である乾電池，水銀電池，リチウム電池，マンガン電池または充電が可能な２次電池であるニッケルカドミウム，ニッケル数小伝誌などで成り立つ。【００６５】  また、本の発明のマッサージ器が附着した化粧品容器は電流の供給を受けて物質の接触が可能な作業電極の接触部を人体に直接接触可能に構成する。ここに人体に物質及び電流を同時に接触するようにして、物質の人体吸収力を倍加させる效果を提供する。また、本発明のマッサージ器が附着した化粧品容器はバッテリーで電源を受ける増幅された電子回でがもっと構成されて、制御部が上記イオン泳動電流イオントポレシスのプラス（＋）電流及びマイナス（−）電流をそれぞれ作業電極及び接地電極で認可する．ここに作業電極のプラス（＋）電流が接地電極のマイナス（−）電流方向に流れながら、肌に蓄積されたイオン化された機能性化粧品の薬液成分などの物質を肌の皮下組織まで深く浸透させて、きれいで弾力ある肌で改善させて肌に栄養供給を倍加させる效果を提供する。【００６６】  また本の発明のマッサージ器が附着した化粧品容器は上記作業電極部に人家される電流の極性を音栓類（−）また羊全類（＋）で相互切り替える極性転換部を含む。ここに上記音栓類（−）による上記物質の人体への吸収作用と上記の羊全類（＋）による肌表なら及び肌内陳皮層に積もっているフィジー，老廃物，毒素などの成分の分解及び排出作用を使用者が交代繰り返し、または選択的に使うことができるようにしてくれる效果を提供する。【００６７】  また、本の発明のマッサージ器が附着した化粧品容器は貫通された作業部中央にカラスまたは合成樹脂で透明なまくを置いて、貫通されたマグネット（ｍａｇｎｅｔ）に案内管及び光を照らすところでマッサージ装置部内部光調査部で調査されたｌｅｄやレーザーの光を人体に調査して光で物質の肌再生力を倍加させる效果を提供する。【００６８】  また、本の発明のマッサージ器が附着した化粧品容器はマッサージ器措置部の肌接触面になる作業電極部底面に圧電振動子を設置して、超音波震動によって顔面のリンパの流れが好きになるようになって、リンパは血液が侵透しにくい細胞たちひまの間に染みこんで物質代謝の機能をすることで、流れのなだらかさは美容及び健康に大きい役に立つ效果を提供する。【００６９】  また、本の発明のマッサージ器が附着した化粧品容器はマッサージ措置部の作業部を作業電極部に底面に冷温熱電素子を設置して、冷または温熱マッサージで毛穴収縮と顔面のリンパの流れが好きになるようになって、リンパは血液が侵透しにくい細胞たちひまの間に染みこんで物質の働く機能をすることで、流れのなだらかさは美容及び健康に大きい役に立つ效果を提供する。【００７０】  また、本の発明の化粧品容器と仮面附着するマッサージ器の肌接触面になる作業電極部にプラズマを接地して、低温または高温のプラズマを発生させて、顔面のリンパの流れが良くして炎症を殺菌しながら治療する效果を提供する。
【産業上利用可能性】
【００７１】  一般的な専門の肌マッサージ器は肌の管理室やメディカルで主に使われて、肌疾患によって製品の效能とマッサージ装置を特性に相応しいように専門的に使われる。描いて管理器機が高価で携帯することができない。また、既存独立された家庭用小型マッサージ器は化粧品とともに使われるが、顧客がどんな化粧品のどんなマッサージ器を使えば良いかよく分からなくて、化粧品の特性に相応しいように使われることができずに、ひとつ器機にだけ使われて製品の效果を極大化することができなかった。また、製品の特性に相応しいように使おうとすれば多くの小型マッサージ器を使わなければならない不便さがあったし、種類別で保管しにくかった。本発明の上記マッサージ器が附着した化粧品容器は収容部と結合する収容部下部底面にマッサージ装置付加附着する構造で製品の特性の相応しいマッサージ器が結合されて、専門肌の管理室やメディカル病院の肌管理をすることのように顧客が製品の当たるマッサージ器を附着した製品で分離して、専門的な肌管理ができる。例えば，ビタミンＣラインの化粧品はイオントポレシス機能のマッサージ措置部が着いた化粧品容器に，コラーゲンやフラッセンターラインの化粧品は超音波機能のマッサージ部が附着した化粧品容器に，にきび治療のための製品はレーザーが附着した化粧品容器に，プルロリンライン義化粧品は、ＬＥＤを利用した光を照らす機能のマッサージ部が附着した化粧品容器と一緒に特性の相応しいように結合付着させて販売することができるし、また二つ以上の效果を持ったマッサージ機能を化粧品容器の附着するマッサージ装置に一緒にすることで多機能マッサージができて、容器付着型で携帯しやすいという長所がある。そして、血液に含まれている鉄分に栄養を与えて、血液の流れがよくさせる新しく磁石の效能と效果を持った肌管理を基本的にできる。そして、マッサージ装置を化粧品容器の収容部の下部に設置することで、エッセンスやアンプル製品が入れられているスポイト形態の化粧品容器にも設置が可能だ。
【符号の説明】
【００７２】  上記化粧品容器（１）、磁性体（１１）、収容部（１０）、ふた部（２０）、マッサージ装置部（９０）、化粧品容器（１００）、収容部（１１０），ふた部（１２０）、マッサージ装置部（１９０）、収容空間（１１４）、雌ねじ（１２５）、雄ねじ（１１５）、ホーム（１１２）、マグネット（ｍａｇｎｅｔ）（１７５）、作業部（１７０）、接地部（１３０）、分離帯（１６０）が設置されてふた部（１２０）、貫通球（１６２）、スプリング（１５５）、コイル（１７６）、化粧品容器（２００）、収容部（２１０），ふた部（２２０），マッサージ装置部（２９０）、接地電極部（２３０），バッテリー（２５０），電源スイッチ（２４０），電極分離帶（２６０），表示ランプ（２８０），作業電極部（２７０）、雄ねじ（２１５）、雌ねじ（２２５）、磁性体（２２１）、マグネット（ｍａｇｎｅｔ）（２７５）、バッテリー（２５０）、結合部（２６１−ｂ，２３１−ａ）、リード線（２５３）、表示ランプ（２８０）、マッサージ部（２９０）、通穴（２３５）、ふた部（２２０），化粧品容器（３００）、収容部（３１０），ふた部（３２０），接地部（３３０），接地電極部（３３０−１），バッテリー（３５０），回路基板（３５１），レーザー調査部（３７７），ＬＥＤの光を照らすところ（３７７−１），電源スイッチ（３４０），表示ランプ（３８０），分離帯（３６０），電極分離帯（３６０−１），作業電極部（３７０−１）、収容空間（３１４）、内に置くホーム（３１２）、雌ねじ（３２５）、マグネット（ｍａｇｎｅｔ）（３７５）、貫通球（３７２−ａ，３７５−ａ）、貫通球（３６２）、化粧品容器（４００）は収容部（４１０），ふた部（４２０）接地電極部（４３０），バッテリー（４５０），回路基板（４５１），電源スイッチ（４４０），表示ランプ（４８０），電極分離帯（４６０），作業電極部（４７０），小型震動モーター（４７７）、雄ねじ（４１５）とねじ結合されるように一定の長さ位雌ねじ（４２５）が形成される．上記雄ねじ（４１５）、雌ねじ（４２５）、マッサージ装置部（４９０）、貫通球（４７５−１）、マグネット（ｍａｇｎｅｔ）（４７５）、貫通球（４６２）、圧電振動子（４７７−１）、通穴（４８１）、絶縁接着剤（４７６）、マグネット（ｍａｇｎｅｔ）（４７５）、化粧品容器（５００）は収容部（５１０），ふた部（５２０）接地電極部（５３０），バッテリー（５５０），回路基板（５５１），電源スイッチ（５４０），表示ランプ（５８０），電極分離帯（５６０），作業電極部（５７０），放熱版（５７８），放熱ファン（５７９），熱戦所定木（５７７）、ホーム（５１２）、磁性体（５１１）、雄ねじ（５１５）、雌ねじ（５２５）、マッサージ装置部（５９０）、作業電極部（５７０）、電極分離帯（５６０）と接地電極部（５３０）で構成されて作業電極部（５７０）底面には冷全発生のため貫通球（５７５−１）、マグネット（ｍａｇｎｅｔ）（５７５）、充電器（７００）、充電器上部本体（７１０）、マッサージ装置部（７９０）、充電端子（７１１）、収納ホーム（７１２）、ｌｅｄ表示ランプ（７１３）、充電器下部本体（７２０）、回路期版（７２１）、アダプダ（７２３）、
【図１】
2013521925.tif 000003
【図２】
2013521925.tif 000004
【図３】
2013521925.tif 000005
【図４】
2013521925.tif 000006
【図５】
2013521925.tif 000007
【図６】
2013521925.tif 000008
【図７】
2013521925.tif 000009
【図８】
2013521925.tif 000010
【図９】
2013521925.tif 000011
【図１０】
2013521925.tif 000012
【図１１】
2013521925.tif 000013
【図１２】
2013521925.tif 000014
【図１３】
2013521925.tif 000015
【図１４】
2013521925.tif 000016
【図１５】
2013521925.tif 000017
【図１６】
2013521925.tif 000018
【図１７】
2013521925.tif 000019
【図１８】
2013521925.tif 000020
【図１９】
2013521925.tif 000021
【図２０】
2013521925.tif 000022
【図２１】
2013521925.tif 000023
【図２２】
2013521925.tif 000024
【図２３】
2013521925.tif 000025
【国際調査報告】
2013521925.tif 000026
2013521925.tif 000027
2013521925.tif 000028
2013521925.tif 000029